(57)【特許請求の範囲】
【請求項１】
遊技球が打ち込まれるゲージ盤と、
前記ゲージ盤の表面上に前記遊技球が入るように設けられた入球口と、
前記ゲージ盤上の表面上における前記入球口と同じ高さ以上の位置に配置され、前記遊技球を前記ゲージ盤の表面上に放出させるように設けられた排出口と、
前記入球口に入った前記遊技球を、前記ゲージ盤の裏側を通して前記排出口へ搬送するコンベヤ機構と、
を有することを特徴とする遊技機。
【請求項２】
前記コンベヤ機構を、前記ゲージ盤に設けた溝内に収めることによって、前記ゲージ盤の肉厚の範囲内に収まるように構成したことを特徴とする請求項１に記載の遊技機。
【請求項３】
前記コンベヤ機構を、回動される送り軸につけられたねじ羽根上に前記遊技球の一部分が乗った状態で、かつ前記遊技球の他の部分が溝状の案内通路部内に位置されて前記送り軸の回りを回動しないよう制限されることにより、前記遊技球が前記案内通路部内を移動するように構成したことを特徴とする請求項１又は請求項２に記載の遊技機。
【発明の詳細な説明】
【０００１】
【発明の属する技術分野】
この発明は遊技球をある場所から他の場所へ誘導するコンベヤ機構を設けた遊技機に関する。
【０００２】
【従来の技術】
従来、遊技球を用いた遊技機の１つにパチンコ機があり、このパチンコ機には、図６に例示するようなゲージ盤１０が設けられている。このようなゲージ盤１０は、一般的にその中央部に電動役物１２が配置され、その下に始動口１４が配置され、さらにその下には大入賞口１６が配置され、その下にはアウト口２２が配置されている。また、ゲージ盤１０の電動役物１２の両横上方には遊技球１８を種々の方向へ誘導して落下させるための風車２０が配置され、ゲージ盤１０上の所要複数部所には、それぞれ入賞口２４が配置されている。
【０００３】
このようなゲージ盤１０を有するパチンコ機では、発射装置により発射された遊技球１８が外バンド２６と内バンド２８との間を通り、ゲージ盤１０の上部へ打ち出され、ゲージ盤１０の盤面を上から下に落下する。そして、遊技球１８は、この落下動作中、風車２０で落下方向を変えられたり、始動口１４に入賞して大当りして大入賞口１６を開放し、他の遊技球１８が大入賞口に入賞するようにしたり、一般の入賞口２４に入賞され、又はそのままゲージ盤１０の下部へ到達し、アウト口２２へ入り回収されるといったように種々の落下動作を行うよう構成されている。
【０００４】
このような落下動作を行う遊技球１８は、ゲージ盤１０のアウト口２２付近に到達するとほとんど入賞の可能性がなくなりアウト球となることが多いから、遊技球１８が入賞する可能性があるのは、ゲージ盤１０の中間の３分の２程度の狭い範囲に位置する遊技球だけとなる。このため個々の遊技球１８が実質的に遊技に供されるのは、遊技球１８がゲージ盤１０の３分の２程度の短い距離を落下する短い時間だけになるから、各遊技球１８の動作も単調となりゲームが飽き易いものとされるという問題があった。
【０００５】
【発明が解決しようとする課題】
本発明は上記事実を考慮し、ある１つの遊技球が遊技に供されている時間を長くするとともに、その遊技球の動作を複雑にし、遊技の面白味を向上することを目的とする。
【０００６】
【課題を解決するための手段】
本発明の請求項１に記載の遊技機は、遊技球が打ち込まれるゲージ盤と、ゲージ盤の表面上に遊技球が入るように設けられた入球口と、ゲージ盤上の表面上における入球口と同じ高さ以上の位置に配置され、遊技球をゲージ盤の表面上に放出させるように設けられた排出口と、入球口に入った遊技球を、ゲージ盤の裏側を通して排出口へ搬送するコンベヤ機構と、を有することを特徴とする。
上述のように構成することにより、ゲージ盤の表面上を上から下に落ちてきてゲージ盤の表面から入球口に入った遊技球を、コンベヤ機構でゲージ盤の裏側を通すことにより入球口と同じ高さ以上の位置に配置された排出口へ搬送し、この排出口から遊技球をゲージ盤の表面へ放出し、ゲージ盤の表面上を落下させ、再び遊技に供されるようにしたので、ある１つの遊技球がゲージ盤上を移動して遊技に供されている時間を長くするとともに、その遊技球の動作を複雑にし、遊技の面白味を向上することができる。
請求項２に記載の発明は、請求項１に記載の遊技機において、コンベヤ機構を、ゲージ盤に設けた溝内に収めることによって、ゲージ盤の肉厚の範囲内に収まるように構成したことを特徴とする。
上述のように構成することにより、請求項１に記載の遊技機における作用、効果に加えて、ゲージ盤の裏に取り付ける各種装置の邪魔にならないようにできる。
請求項３に記載の発明は、請求項１又は請求項２に記載の遊技機において、コンベヤ機構を、回動される送り軸につけられたねじ羽根上に遊技球の一部分が乗った状態で、かつ遊技球の他の部分が溝状の案内通路部内に位置されて送り軸の回りを回動しないよう制限されることにより、遊技球が案内通路部内を移動するように構成したことを特徴とする。
上述のように構成することにより、請求項１又は請求項２に記載の遊技機における作用、効果に加えて、遊技球は、球形であってもころがり落ちることなく、ねじ羽根付きの送り軸による螺旋搬送動作によって、案内通路部に沿って下から上に移送される。また、コンベヤ機構は、斜状に配置し、さらには水平に配置し、又はコンベヤ機構を湾曲して構成することもできる。
【０００７】
【発明の実施の形態】
以下、本発明の遊技機の第１実施の形態を図１〜図４によって説明する。図１には本第１実施の形態に係る遊技機であるパチンコ機のゲージ盤３０部分が示されている。
【０００８】
このゲージ盤３０には、その中央部に電動役物３２が配置され、その下に始動口３４が配置され、さらにその下には大入賞口３６が配置され、その下にはアウト口３８が配置されている。また、ゲージ盤３０の電動役物３２の両横上方には遊技球４０を種々の方向へ誘導して落とすための風車４２が配置され、ゲージ盤３０の両横部にはそれぞれ入賞口４４が配置されている。なお、６４は外バンド、６６は内バンドである。
【０００９】
ゲージ盤３０における大入賞口３６の両横上方部には、それぞれ入球口４６が設けられている。さらに、電動役物３２の両横上方における各風車４２の斜め上方位置には、それぞれ排出口４８が設けられている。
【００１０】
図１に示すように、ゲージ盤３０の裏側における電動役物３２の両横位置には、それぞれ入球口４６から排出口４８にかけてねじコンベヤ機構５０が装着されている。
【００１１】
このねじコンベヤ機構５０は、図２〜図４に示すように、円筒状のカバー５２の中に回動自在に装着された、ねじ羽根のついた送り軸５４を有する。この送り軸５４の図で下部に当たる部分は、モータ５６の駆動軸に接続され回動されるようになっている。
【００１２】
また、カバー５２のゲージ盤３０側部分には、その長さ方向に延びる溝状の案内通路部５８が一体的に形成されている。案内通路部５８の図で下部には、ゲージ盤３０の表面上の入球口４６からゲージ盤３０を貫通し、案内通路部５８へ下向するように連通する通し孔６０が設けられ、入球口４６に入った遊技球４０が通し孔６０を通って案内通路部５８内へ送られるようにする。さらに、案内通路部５８の図で上部に当たる部分には、この案内通路部５８側からゲージ盤３０を貫通し、ゲージ盤３０の表面上の排出口４８へ下向するよう連通する通し孔６２が設けられ、案内通路部５８の上部に送られて来た遊技球４０が通し孔６２を通って排出口４８を通りゲージ盤３０上に放出されるように構成されている。
【００１３】
次に上述のように構成された第１実施の形態の遊技機の作用を説明する。この遊技機では図示しない発射装置により遊技球４０を、外バンド６４と内バンド６６との間を通してゲージ盤３０へ打ち込む。すると遊技球４０はゲージ盤３０上を図示しない釘等に当たりながら落下し、例えば入球口４６に入る。入球口４６に入った遊技球４０は、通し孔６０を通り、ねじコンベヤ機構５０に送られる。
【００１４】
このねじコンベヤ機構５０では、送られて来た遊技球４０は、その一方の半分の部分が案内通路部５８内に位置され、その他方の半分の部分が円筒状カバー５２内にある送り軸５４のねじ羽根上に乗った状態となる。
【００１５】
この状態では、遊技球４０は案内通路部５８内を移動できるだけであり、送り軸５４の回りを回動しないよう制限されることになる。また、ねじコンベヤ機構５０は、常時そのモータ５６を駆動して送り軸５４を回動させている。
【００１６】
よって、遊技球４０は送り軸５４による螺旋搬送動作によって、案内通路部５８内を図の下から上に移送され、案内通路部５８上部に至る。ここで遊技球４０は案内通路部５８から出て、通し孔６２を通り排出口４８からゲージ盤３０の上部表面に放出される。このように、排出口４８から出た遊技球４０は、排出口４８のすぐ下方にある風車４２にからんで種々の方向へ送り出される。
【００１７】
そして、ゲージ盤３０上の複数の釘に当たり、方向を変えながら落下し、入賞口４４、始動口３４、アウト口３８、又は再び入球口４６へ入る。なお、遊技球４０が始動口３４へ入ると電動役物３２が作動し、これで大当りとなると大入賞口３６が開放されることになる。
【００１８】
このようにある遊技球４０が入球口４６に入ると、再びゲージ盤３０の上部に誘導され、再びゲージ盤３０上を落下するので、この１つの遊技球４０が遊技に供される時間を長くできる。さらに、排出口４８をゲージ盤３０上の入賞の機会を得るのに好適な位置に設定すれば、遊技の面白味を向上できる。これとともに、排出口４８の下に配置した風車４２によって遊技球４０の落下方向をランダムに変更することにより、遊技球４０の動作を複雑にし、遊技の面白味を向上できる。加えてゲージ盤４０のねじコンベヤ機構５０対応部分、及びカバー５２と案内通路部５８を透明プラスチック材料等で構成することにより、遊技球４０がねじコンベヤ機構５０を上昇する様子を見えるようにすれば、面白味を増すことができる。
【００１９】
また、遊技機の発射装置により連続して遊技球４０をゲージ盤上へ打ち込んだとき、発射装置の発射能力との関係で、ゲージ盤３０上にあって遊技に供されている最中の遊技球４０の数は、従来では３個程度であったがねじコンベヤ機構５０を設けたものでは、５〜６個程度に増加させることができる。このため、ねじコンベヤ機構５０を設けたゲージ盤３０はその遊技中盤面上をにぎやかでかつ入賞確率の高い面白味のあるものにできる。
【００２０】
なお、上述した第１実施の形態では、排出口４８を風車４２の上に設けた構成について説明したが、排出口４８の位置はこれに限られるものではなく、複数配置された釘の上に配置しても良い。また、排出口４８部分に複数の遊技球４０を貯留しておき、順次、又は一時に開放するように構成しても良い。また、ねじコンベヤ機構５０を斜状に配置しても良い。さらには、ねじコンベヤ機構５０を水平に配置し、遊技球４０がゲ−ジ盤３０上に滞留している時間を長くし、遊技球４０の動作を複雑にするようにしても良い。
【００２１】
次に、本発明の第２実施の形態を図５によって説明する。本第２実施の形態は、ねじコンベヤ機構５０が湾曲して構成されている。このため、それぞれの入球口４６から排出口４８まで、各透明の円筒状カバー６８が各々内バンド６６に沿って湾曲させて配置されている。また、このカバー６８には、その入球口４６及び排出口４８側の側面部位に一体的に案内通路部７４が設けられている。
【００２２】
このカバー６８内には、弾性長尺物を螺旋状に形成したスプリングスクリュー７０が回動自在に装着され、このスプリングスクリュー７０の図で下端部は、モータ７２の駆動軸に接続されている。
【００２３】
このように構成された本第２実施の形態のねじコンベヤ機構５０は、入球口４６に入った遊技球４０を図示しない通路を通してカバー６８内のスプリングスクリュー７０上に乗せるとともに、案内通路部７４に案内されるように、この遊技球４０の一部を入れる。
【００２４】
すると、モータ７２によって常時回動されているスプリングスクリュー７０の螺旋搬送動作によって、案内通路部７４内を図の下から上に移送され、案内通路部７４上部に至る。そして、案内通路部７４から図示しない通路を通して排出口４８に送られ、これよりゲージ盤３０上へ放出される。
【００２５】
このように、本第２実施の形態ではねじコンベヤ機構５０がゲージ盤３０の裏側における中央より外れた内バンド６６の対応位置に配置されているので、ゲージ盤３０の裏に取り付ける各種装置の邪魔にならないようにできる。また、ゲージ盤３０のねじコンベヤ機構５０を配置した位置に対応する内バンド６６の内側部位を透明部材で構成すれば、遊技球４０が湾曲した案内通路部７４を昇る動作が目視できるので、遊技の面白味を増大できる。
【００２６】
なお、本第２実施の形態で以上説明した以外の構成、作用及び効果は前述した第１実施の形態と同等であるのでその説明を省略する。
【００２７】
また、前述した第１、及び第２実施の形態で説明したねじコンベヤ機構５０は前述した構成に限られるものではなく、エンドレスベルトの外側に遊技球が入球可能な大きさのバケットを複数個取り付けたバケットタイプのコンベヤ機構、２本のエンドレスベルトの間に遊技球を挟持して誘導するベルトタイプのコンベヤ機構等を用いることができる。また、コンベヤ機構５０はゲージ盤３０の裏側へ取り付けるばかりでなく、ゲージ盤３０に溝を設け、この溝内にコンベヤ機構５０を収めることによってゲージ盤３０の肉厚の範囲内に収めるように構成しても良い。本発明の遊技機は、本発明の要旨を免脱しない範囲で種々の構成を取り得ることは勿論である。
【００２８】
さらに、本発明はパチンコ機ばかりでなく、アレンジボール、その他の遊技球を用いた遊技機に利用できる。
【００２９】
【発明の効果】
本発明の遊技機は、ゲージ盤を上から下に落下し、ゲージ盤の一部に設けた入球口に入った遊技球をコンベヤ機構でゲージ盤上の入球口と同じ高さ以上の位置に設けた排出口からゲージ盤表面上へ放出し、再び遊技に供されるようにしたので、ある１つの遊技球がゲージ盤上を移動する時間を長くし、その動作を複雑にして、遊技の面白味を向上できる。
【図面の簡単な説明】
【図１】本発明の第１実施の形態を示すゲージ盤部分の正面図である。
【図２】前記第１実施の形態のねじコンベヤ機構部分を示す要部正面図である。
【図３】図２のＩＩＩ  −ＩＩＩ  線断面を示す要部断面図である。
【図４】図２のＩＶ−ＩＶ線断面を示す要部断面図である。
【図５】本発明の第２実施の形態を示すねじコンベヤ機構部分を示す要部正面図である。
【図６】従来のパチンコ機のゲージ盤を例示する要部正面図である。
【符号の説明】
３０    ゲージ盤
４０    遊技球
４６    入球口
４８    排出口
５０    ねじコンベヤ機構
５２    カバー
５４    送り軸
５６    モータ
５８    案内通路部
６０    通し孔
６２    通し孔
６８    カバー
７０    スプリングスクリュー
７２    モータ
７４    案内通路部
【図１】
0003570789.tif 000002
【図２】
0003570789.tif 000003
【図３】
0003570789.tif 000004
【図４】
0003570789.tif 000005
【図５】
0003570789.tif 000006
【図６】
0003570789.tif 000007